(57)【要約】【課題】設備の交換を可能にする建物ユニットを提供する。【解決手段】建物ユニット１は、建設場所以外で予め組み立てられ、建設場所で建物の一部として設置される建物ユニットである。この建物ユニット１は、建物ユニット１を構成する床側横架材２１の複数の直線状部材２１ａ、２１ｂ、２１ｃ及び２１ｄと、ユニットバス３４の床板３４ａと、複数の直線状部材２１ａ及び２１ｃに架け渡され且つ下方から床板３４ａを支持するバス架台５０とを備える。バス架台５０は、直線状部材２１ａ及び２１ｃの上面２１ａａ及び２１ｃａに係合し且つ上面２１ａａ及び２１ｃａよりも下方で側方に延びるフレーム部５１と、フレーム部５１に床板３４ａを着脱可能に固定する第一支持部５２とを有する。【選択図】図４
2018031188.tif 000002
【特許請求の範囲】
【請求項１】
建設場所以外で予め組み立てられ、前記建設場所で建物の一部として設置される建物ユニットであって、
前記建物ユニットを構成する複数の横架材と、
浴槽支持体と、
前記複数の横架材に架け渡され且つ下方から前記浴槽支持体を支持する架台と
を備え、
前記架台は、
前記横架材の上面に係合し且つ前記上面よりも下方で側方に延びるフレーム部と、
前記フレーム部に前記浴槽支持体を着脱可能に固定する固定部とを有する
建物ユニット。
【請求項２】
前記固定部は、前記浴槽支持体に対して伸縮可能であり且つ前記浴槽支持体を支持する支持軸部を有する
請求項１に記載の建物ユニット。
【請求項３】
複数の前記固定部が配置され、
前記複数の固定部は、前記浴槽支持体の周縁に分散して配置される
請求項１または２に記載の建物ユニット。
【請求項４】
前記フレーム部は、
前記横架材の上に載せられる引掛部と、
前記引掛部の端部から垂下する垂下部と、
前記垂下部の下端から側方に突出する受桁部とを含み、
前記固定部は、前記受桁部に前記浴槽支持体を着脱可能に固定する
請求項１〜３のいずれか一項に記載の建物ユニット。
【請求項５】
前記固定部は、前記浴槽支持体に対して伸縮可能であり且つ前記浴槽支持体を支持する支持軸部を有し、
前記固定部は、前記フレーム部から上方に離れた位置に、前記フレーム部に固定され且つ前記支持軸部と交差する方向に延在する固定壁部を有し、
前記固定壁部は、前記支持軸部が側方から嵌り込む凹部を有し、
前記固定部は、前記凹部内の前記支持軸部と前記固定壁部とに係合し、前記支持軸部を前記固定壁部に固定する固定部材を有する
請求項１〜４のいずれか一項に記載の建物ユニット。
【請求項６】
前記支持軸部は、前記浴槽支持体に形成された雌ねじ孔及び前記固定部材に形成された雌ねじ孔に螺合する雄ねじを有し、
前記支持軸部に螺合する２つの前記固定部材が、前記固定壁部を挟んで互いに締め付けられることによって、前記支持軸部を前記固定壁部に固定し、
前記支持軸部は、ねじ回転されることによって、前記浴槽支持体に対して伸縮する
請求項５に記載の建物ユニット。
【請求項７】
前記固定部は、前記固定部材としての第一固定部材と、前記支持軸部に螺合し且つ前記浴槽支持体に向かって締め付けられることによって前記支持軸部を前記浴槽支持体に固定する第二固定部材とを有する
請求項６に記載の建物ユニット。
【請求項８】
前記固定壁部は、前記フレーム部上で横向きのＵ字状断面を形成するＵ字状部材の上側壁部であり、
前記Ｕ字状部材のＵ字状断面及び前記凹部は、前記建物の室内に向かって開放している
請求項５〜７のいずれか一項に記載の建物ユニット。
【請求項９】
前記固定壁部は、前記フレーム部上で横向きのＵ字状断面を形成するＵ字状部材の上側壁部であり、
前記Ｕ字状部材のＵ字状断面及び前記凹部は、前記建物ユニットの内側に向かって開放している
請求項５〜８のいずれか一項に記載の建物ユニット。
【発明の詳細な説明】
【技術分野】
【０００１】
本発明は、建物の一部を構成する建物ユニットに関する。
【背景技術】
【０００２】
一般的に、住宅等の建物の施工の全ては、建物の建設場所で実施される。例えば、木造住宅の場合、建設場所において、コンクリート基礎の構築後、コンクリート基礎上に、住宅の骨組みを構成する柱、梁などの軸組、床、壁等の構築が行われ、その後に水廻り設備、電気設備等の住宅設備の設備工事が実施される。建設場所で設置される住宅設備は、施工精度にばらつきを生じることがあり、さらに、工期を延ばす要因となり得る。例えば、特許文献１には、浴室、トイレ、洗い場、キッチン等からなる設備ユニットを工場生産し、建設場所へ設置する技術が記載されている。設備ユニットは、分割して建設場所に運搬され、建設場所に設置され且つ互いに接合される。建設場所では、設備ユニットをコアとして、その他の玄関、居室等が在来工法によって現場施工される。また、特許文献２にも、ユニットバス、洗面所、トイレ等からなる設備ユニットを工場生産し、建設場所へ設置する技術が記載されている。この設備ユニットに設けられたユニットバスは、予め浴槽や床材や壁材を一体化したユニットを床面上に配置し、Ｕ字状に開口した係合部を用いて床面に固定している。
【先行技術文献】
【特許文献】
【０００３】
【特許文献１】特開平２−２３２４４５号公報
【特許文献２】特開平５−９１９５４号公報
【発明の概要】
【発明が解決しようとする課題】
【０００４】
住宅等の建物の一部を構成する設備ユニット等の建物ユニットは、種々の設備を含むが、これら設備は、建物が存在する期間にわたって、使われ続けることは少なく、経年劣化、建物のリフォーム等に起因して交換を受ける必要が生じる場合がある。
【０００５】
そこで、本発明は、設備の交換を可能にする建物ユニットを提供する。
【課題を解決するための手段】
【０００６】
上記目的を達成するため、本発明の一態様に係る建物ユニットは、建設場所以外で予め組み立てられ、建設場所で建物の一部として設置される建物ユニットであって、建物ユニットを構成する複数の横架材と、浴槽支持体と、複数の横架材に架け渡され且つ下方から前記浴槽支持体を支持する架台とを備え、架台は、横架材の上面に係合し且つ当該上面よりも下方で側方に延びるフレーム部と、フレーム部に浴槽支持体を着脱可能に固定する固定部とを有する。
【発明の効果】
【０００７】
本発明に係る建物ユニットによれば、建物ユニットの設備の交換が可能になる。
【図面の簡単な説明】
【０００８】
【図１】実施の形態に係る建物ユニットの外観を模式的に示す斜視図である。
【図２】図１の第一建物ユニットを水平方向に切断する断面を下方に向かう方向ＩＩで見た断面図である。
【図３】図１の第二建物ユニットを水平方向に切断する断面を下方に向かう方向ＩＩＩで見た断面図である。
【図４】図３の第二建物ユニットの床側横架材に配置されたバス架台を示す斜視図である。
【図５】図４のバス架台のうちのフレーム部の桁固定部及び第一支持部の周辺を拡大して示す斜視図である。
【図６】図５の第一支持部の側面図である。
【発明を実施するための形態】
【０００９】
以下では、本発明の実施の形態に係る建物ユニットについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態、ステップ（工程）、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。また、以下の実施の形態において、略同じ又は略正方形などの「略」を伴った表現を用いる場合がある。例えば、略同じは、完全に同じであることを意味するだけでなく、実質的に同じである、すなわち、例えば数％程度の差異を含むことも意味する。他の「略」を用いた表現についても同様である。
【００１１】
［実施の形態］
［建物ユニット］
実施の形態に係る建物ユニット１の概要について、図１を用いて説明する。図１は、実施の形態に係る建物ユニット１の外観を模式的に示す斜視図である。建物ユニット１は、建物の一部を構成する。建物ユニット１を用いて建物を建設する際、建設場所に設置された建物ユニット１をコアとして、建物ユニット１の周囲に、玄関、居室等のその他の構造物が構築される。例えば、建物ユニット１を基に、建物の柱、梁、外壁、内壁、天井等が、構築される。このような建物ユニット１は、建物を建設する際のコアとなるコアユニットとも呼ばれる。本実施の形態では、建物ユニット１が適用される建物は、木造住宅であるが、一部のみが木造である非木造住宅でもよく、店舗、工場又は倉庫等の木造若しくは木造以外の非住宅でもよい。建物は、本実施の形態では、二階建てであるが、三階建て以上であってもよく、一階建てであってもよく、さらに地階を有してもよい。
【００１２】
本実施の形態に係る建物ユニット１は、住宅に必要な水廻り設備の多く及び電気設備等を集約して含むコアユニットである。水廻り設備の多くを建物ユニット１に集約することは、小型の住宅においても広い居住空間の確保を可能にする。
本実施の形態では、建物ユニット１は、略直方体状の外形を有する。建物ユニット１の少なくとも１つの側面が建物の外壁を構成してもよい。建物には、１つ以上の建物ユニット１が、配置されてよい。複数の建物ユニット１は、例えば二階建て以上の住宅の一部を構成する。この場合、複数の建物ユニット１は、互いに上下に積み上げられて連結され、複数階の各々を構成してもよい。本実施の形態では、複数の建物ユニット１は、二階建て住宅の一部を構成する第一建物ユニット１０及び第二建物ユニット２０である。
【００１３】
第一建物ユニット１０及び第二建物ユニット２０はそれぞれ、複数階のうちの１つの階を構成し、第二建物ユニット２０は、第一建物ユニット１０の直上階を構成する。本実施の形態では、第一建物ユニット１０は、建物の一階を構成し、第二建物ユニット２０は、建物の二階を構成する。第一建物ユニット１０は、建物の基礎４０上に配置され、基礎４０に固定される。基礎４０は、例えば、鉄筋コンクリート製の布基礎又はべた基礎であってよく、基礎４０に埋め込まれ且つ基礎４０の上面から上方に向かって突出するアンカーボルト（図示せず）を有している。アンカーボルトは、第一建物ユニット１０の柱部分の底部に設けられた柱脚金具に締結され、それにより、第一建物ユニット１０を基礎４０に固定する。
【００１４】
複数の建物ユニット１は、工場等の建物の建設場所以外の場所で予め組み立てられる。つまり、第一建物ユニット１０及び第二建物ユニット２０は、工場等で各種設備が予め組み込まれた工業化ユニットである。建物ユニット１の工場生産化は、高品質且つ高機能な建物ユニット１の製造を可能にし、さらに、建設場所での工期の短縮を可能にする。
【００１５】
工場で組み立てられた、つまり工場生産された第一建物ユニット１０及び第二建物ユニット２０はそれぞれ、トラックなどの運搬車両によって建設場所に運搬される。運搬された第一建物ユニット１０及び第二建物ユニット２０は、建設場所で積み重ねて設置され、互いに連結及び固定される。なお、トラックの高さ制限を満たす場合、トラックの高さ制限が存在しない場合等の運搬が可能な状況であれば、第一建物ユニット１０と第二建物ユニット２０とが、工場等で連結固定された状態で建設場所に運搬されてもよい。
【００１６】
第一建物ユニット１０及び第二建物ユニット２０はいずれも、略直方体状の外形と同等の大きさとを有している。第一建物ユニット１０及び第二建物ユニット２０の各々は、例えば、トラック等の運搬車両の荷台に載せたときに道路交通法の高さ制限を超えないような高さに設計され得る。第一建物ユニット１０及び第二建物ユニット２０の各々のサイズは、一例として、平面サイズが約３６４ｃｍ×１８２ｃｍであり、高さが約２７３ｃｍである。第一建物ユニット１０及び第二建物ユニット２０の各々は、木造軸組工法によって形成されている。具体的には、第一建物ユニット１０及び第二建物ユニット２０の各々は、複数の柱、梁及び土台などの横架材、面材等によって形成される枠組みを備える。
【００１７】
［第一建物ユニット及び第二建物ユニットの構成］
第一建物ユニット１０及び第二建物ユニット２０の具体的な構成を説明する。図１を参照すると、建物の一階を構成する第一建物ユニット１０と建物の二階を構成する第二建物ユニット２０とはそれぞれ、例えば、木造軸組工法による軸組構造体としての建築構造体を備える。建築構造体は、梁及び土台などの横架材並びに柱等の建材からなる軸組と、大引き等の建材からなる床組とを備える。横架材は、第一建物ユニット１０の土台等を構成し、第二建物ユニット２０の梁等を構成する。建築構造体は、工場等の建設場所以外の場所で予め組み立てられる。
【００１８】
図１及び図２を参照すると、第一建物ユニット１０の建築構造体は、矩形枠状の土台１１、土台１１上に建てられる複数の柱１２、柱１２間にわたって架け渡される面材１３、柱１２間に配置される複数の間柱１４、土台１１に架け渡される図示しない複数の大引き、大引き上に敷設される床面材、柱１２の上部に設置される図示しない天井パネル等によって形成される。なお、図２は、図１の第一建物ユニット１０を水平方向に切断する断面を下方に向かう方向ＩＩで見た断面図であり、第一建物ユニット１０の内部の模式的な平面図を示す図でもある。柱１２及び間柱１４は、上下方向に延在し、土台１１及び大引きは、略水平方向に延在する。
【００１９】
柱１２の底部には、柱１２と土台１１と大引きとを互いに連結する柱脚金具が取り付けられる。なお、本実施の形態では、第一建物ユニット１０は、天井側の梁、具体的には、胴差し及び二階床梁を備えない。そして、第一建物ユニット１０の上に第二建物ユニット２０を設置したときには、第一建物ユニット１０の複数の柱１２の上部には、第二建物ユニット２０の床側に配置された胴差し及び二階床梁を構成する床側横架材２１が、第一建物ユニット１０の天井側の梁等を兼ねて、接続される。本実施の形態では、土台１１、柱１２、面材１３、間柱１４及び図示しない大引き等の建材は、木材である。
【００２０】
柱１２、面材１３及び間柱１４は、第一建物ユニット１０の壁１５を形成する。壁１５の内側に配置される面材１３上には、石膏ボード等の図示しない壁材が、設置され得る。さらに、壁材上に、壁紙が貼り付けられ得る。本実施の形態では、面材１３は、壁１５の内側及び外側に配置されるが、いずれか一方のみでもよい。柱１２、面材１３及び間柱１４は、土台１１に個別に組み付けられてもよく、土台１１への組み付けの前に壁パネルとして組み立てられてもよい。そして、壁パネルが、土台１１上に建て込まれることによって、壁１５を形成してもよい。
【００２１】
図１及び図３を参照すると、第二建物ユニット２０の建築構造体は、床側横架材２１、複数の柱２２、柱２２間にわたって架け渡される面材２３、柱２２間に配置される複数の間柱２４、柱２２の上部に配置される天井側横架材２６、床側横架材２１上に設置される図示しない床材、柱２２の上部に設置される図示しない天井パネル等によって形成される。床材は、第一建物ユニット１０と同様に、床面材等から構成されてもよい。なお、図３は、図１の第二建物ユニット２０を水平方向に切断する断面を下方に向かう方向ＩＩＩで見た断面図であり、第二建物ユニット２０の内部の模式的な平面図を示す図でもある。柱２２及び間柱２４は、上下方向に延在し、床側横架材２１及び天井側横架材２６は、略水平方向に延在する。床側横架材２１は、胴差し及び二階床梁等によって構成され、天井側横架材２６は、二階天井梁等によって構成される。
【００２２】
床側横架材２１は、複数の柱２２の下部を互いに繋ぎ、天井側横架材２６は、複数の柱２２の上部を互いに繋ぐ。本実施の形態では、柱２２は、床側横架材２１の上に配置され、天井側横架材２６は、柱２２の上端に配置される。なお、床側横架材２１及び天井側横架材２６は、柱２２の側部に配置されてもよい。床側横架材２１の底部には、床側横架材２１と第一建物ユニット１０の柱１２とを互いに連結する図示しない連結金具が取り付けられる。なお、連結金具は、建物の建設場所以外の場所で予め柱１２に取り付けられてもよく、建設場所で柱１２に取り付けられてもよい。
本実施の形態では、床側横架材２１、柱２２、面材２３、間柱２４及び天井側横架材２６等の建材は、木材である。
【００２３】
柱２２、面材２３及び間柱２４は、第二建物ユニット２０の壁２５を形成する。壁２５の内側に配置される面材２３上には、石膏ボード等の図示しない壁材が、設置され得る。さらに、壁材上に、壁紙が貼り付けられ得る。本実施の形態では、面材２３は、壁２５の内側及び外側に配置されるが、いずれか一方のみでもよい。柱２２、面材２３及び間柱２４は、床側横架材２１に個別に組み付けられてもよく、床側横架材２１への組み付けの前に壁パネルとして組み立てられてもよい。そして、壁パネルが、床側横架材２１上に建て込まれることによって、壁２５を形成してもよい。
【００２４】
［設備］
図１、図２及び図３を参照すると、本実施の形態では、建物ユニット１は、設備を備える。設備は、具体的には、住宅設備であり、例えば、水廻り設備、電気設備、空調換気設備、内装等を含んでいる。各設備は、建物に配置される複数の建物ユニット１の少なくとも１つに、建設場所以外で予め設置されている。
【００２５】
水廻り設備は、例えば、バス（浴室）、トイレ、洗面台及びキッチンの少なくとも１つを含む。水廻り設備は、さらに、給湯器（給湯システム）を含んでもよく、天井裏、床下又は壁内に形成されたパイプスペースに設置される排水管、給水管及び給湯管などの配管等を含んでもよい。
【００２６】
本実施の形態では、第一建物ユニット１０の内部に、トイレ３１と洗面台３２とが設置されている。さらに、第一建物ユニット１０の内部には、設備機器の配置が可能なスペース３３が設けられている。スペース３３には電源コンセントが配置されており、スペース３３は、例えば、食品を貯蔵する冷蔵庫等が設置されるパントリとして利用可能である。第二建物ユニット２０の内部に、トイレ３１と洗面台３２とユニットバス３４とが設置されている。ユニットバス３４は、浴室を構成する。また、図示しないが、各種配管が、第一建物ユニット１０と第二建物ユニット２０との間のスペースなどに配置されている。ユニットバス３４の床板３４ａは、床側横架材２１に配置されたバス架台５０（図４参照）を介して、床側横架材２１によって支持される。なお、床板３４ａは、浴槽３４ｂを含む浴室の床を支持する板であればよく、ユニットバス３４を構成する部材でなくてもよい。大きい重量の浴槽を支持する床板３４ａは、金属やＦＲＰ（繊維強化プラスチック；Ｆｉｂｅｒ−Ｒｅｉｎｆｏｒｃｅｄ  Ｐｌａｓｔｉｃｓ）等の高い強度を有する材料から作製されている。ここで、床板３４ａは、浴槽支持体の一例である。
【００２７】
電気設備は、例えば、分電盤、インターホン、情報盤、各種設備機器を操作するための操作盤、創蓄連携機器（創蓄連携システム）、及び照明等の設備機器を含んでもよい。電気設備は、さらに、スイッチ、コンセント、並びに情報配線及び電気配線等の配線設備を含んでもよい。分電盤、インターホン、情報盤、操作盤、創蓄連携機器、スイッチ、コンセント等は、屋内に配置され得る。各種配線は、天井裏、床下又は壁内に配置され得る。
空調換気設備は、例えば、室内に設置されるエアコンなどの空調室内機、天井裏などに設置される熱交換器、換気扇等を含み得る。空調換気設備は、さらに、パイプスペースに設置されるダクトなどの各種配管を含んでもよい。
内装は、建物ユニット１内の床、壁、天井などに施された仕上げ材、建具、収納具等を含み得る。
【００２８】
なお、上述の各設備の数量及び配置等は、一例に過ぎず、特に限定されない。例えば、本実施の形態では、第一建物ユニット１０と第二建物ユニット２０との両方が水廻り設備を備える構成が例示されているが、第一建物ユニット１０及び第二建物ユニット２０の一方のみが水廻り設備を備えてもよい。例えば、本実施の形態では、ユニットバス３４が、第二建物ユニット２０に配置されているが、第一建物ユニット１０に配置されてもよい。この場合、ユニットバス３４の床板３４ａは、土台１１に配置されたバス架台５０（図４参照）を介して、土台１１によって支持される。
【００２９】
［バス架台の構成］
次に、床側横架材２１又は土台１１上でユニットバス３４を支持するバス架台５０の構成を説明する。図４を参照すると、床側横架材２１に配置されたバス架台５０が示されている。図４は、図３の第二建物ユニット２０の床側横架材２１に配置されたバス架台５０を示す斜視図である。
【００３０】
床側横架材２１は、矩形枠状に組まれた４つの直線状部材２１ａ、２１ｂ、２１ｃ及び２１ｄで形成されている。互いに略平行に延在する直線状部材２１ａ及び２１ｃは、床側横架材２１の長手側の部材を構成し、互いに略平行に延在する直線状部材２１ｂ及び２１ｄは、床側横架材２１の短手側の部材を構成している。複数の大引き２７が、本実施の形態では２つの大引き２７が、直線状部材２１ａから直線状部材２１ｃに架け渡されて直線状部材２１ａ及び２１ｃに固定されている。ここで、直線状部材２１ａ〜２１ｄは、横架材の一例である。
【００３１】
床側横架材２１の内側における大引き２７と直線状部材２１ｂとの間の空間に、ユニットバス３４を支持するためのバス架台５０が、配置されている。バス架台５０は、直線状部材２１ａ及び２１ｃに取り付けられている。バス架台５０は、ユニットバス３４の床板３４ａ(図４では、破線で表示)を下方から支持する。
【００３２】
バス架台５０は、直線状部材２１ａ及び２１ｃの間に架け渡されるフレーム部５１と、フレーム部５１上に配置され且つ床板３４ａを直接的に支持する第一支持部５２及び第二支持部５３とを備えている。限定されるものではないが、本実施の形態では、３つのフレーム部５１が互いに略平行に設けられている。フレーム部５１、第一支持部５２及び第二支持部５３は、強度を有する材料から作製されており、本実施の形態では、鉄、鋼等の金属で作製されている。各フレーム部５１は、直線状部材２１ａ及び２１ｃ間に延在する柱状の受桁部５１ａと、受桁部５１ａの両端に配置される２つの桁固定部５１ｂとを備えている。受桁部５１ａと桁固定部５１ｂとは、例えば溶接等の接合方法で接合され一体化されている。受桁部５１ａは、平坦な上面５１ａａを有しており、本実施の形態では、細長の四角筒形状を有している。ここで、第一支持部５２は、固定部の一例である。
【００３３】
図４及び図５を参照すると、桁固定部５１ｂは、直線状部材２１ａ又は２１ｃの上面２１ａａ又は２１ｃａ上に載せられ係合する引掛部５１ｂｂと、引掛部５１ｂｂの端部から垂下する垂下部５１ｂａと、垂下部５１ｂａの下端から側方に突出する受部５１ｂｃとを含む。図５は、図４のバス架台５０のうちのフレーム部５１の桁固定部５１ｂ及び第一支持部５２の周辺を拡大して示す斜視図である。上述のような桁固定部５１ｂは、上面２１ａａ又は２１ｃａに係合し下方に延びる構成を有する。本実施の形態では、桁固定部５１ｂは、平坦な板材をＺ字状に折り曲げて形成される形状を有している。引掛部５１ｂｂ、垂下部５１ｂａ及び受部５１ｂｃはそれぞれ、平坦な板状の形状を有し、互いに垂直に延在する。引掛部５１ｂｂ及び受部５１ｂｃは、垂下部５１ｂａから互いに反対方向に突出する。垂下部５１ｂａには、複数の貫通孔５１ｂｄが形成されている。
【００３４】
受桁部５１ａは、受部５１ｂｃの上に配置され、受桁部５１ａの下面５１ａｂが、受部５１ｂｃの上面に、例えば溶接等の接合方法で一体的に接合されている。受桁部５１ａの端部も、垂下部５１ｂａに、例えば溶接等の接合方法で接合されてもよい。上述のようにして、受桁部５１ａの両端に、桁固定部５１ｂが接合されている。
【００３５】
上述のような各フレーム部５１は、両端の２つの桁固定部５１ｂの引掛部５１ｂｂそれぞれを直線状部材２１ａ及び２１ｃの上面２１ａａ及び２１ｃａに載せ、直線状部材２１ａ及び２１ｃ間に架け渡されるように、床側横架材２１に設置される。２つの桁固定部５１ｂの垂下部５１ｂａはそれぞれ、直線状部材２１ａ及び２１ｃの内側の側面２１ａｂ及び２１ｃｂに対向するように延在し且つ当接し、垂下部５１ｂａの貫通孔５１ｂｄに通される木ねじなどのビス、釘等の接合金具によって直線状部材２１ａ及び２１ｃに固定される。そして、受桁部５１ａは、直線状部材２１ａ及び２１ｃの上面２１ａａ及び２１ｃａよりも下方で、側方に延びる。
【００３６】
本実施の形態では、４つの第一支持部５２が配置されている。２つの第一支持部５２が、直線状部材２１ｂに最も近いフレーム部５１上に配置され、２つの第一支持部５２が、直線状部材２１ｄに最も近いフレーム部５１上に配置されている。つまり、４つの第一支持部５２は、ユニットバス３４の床板３４ａの４つの角部の下方に配置されている。よって、４つの第一支持部５２は、床板３４ａの周縁に沿って分散して配置されている。
【００３７】
図５及び図６を参照すると、各第一支持部５２は、フレーム部５１の受桁部５１ａ上に配置される台座部５２ａと、台座部５２ａ上に配置される固定受部５２ｂと、固定受部５２ｂから床板３４ａに延びる支持軸部５２ｃとを含む。図６は、図５の第一支持部５２の側面図であり、直線状部材２１ｂから直線状部材２１ｄに向かう方向で第一支持部５２を見た図である。各台座部５２ａは、受桁部５１ａの上面５１ａａ上に配置される平板状の座板部５２ａａと、座板部５２ａａから垂下する平板状の側方支持部５２ａｂと、座板部５２ａａの下面及び側方支持部５２ａｂの側面の間に延在するリブ状の補強部５２ａｃとを含む。座板部５２ａａ、側方支持部５２ａｂと及び座板部５２ａａは、一体化されている。
【００３８】
座板部５２ａａは、受桁部５１ａの上面５１ａａと対向するように延在し、上面５１ａａよりも、受桁部５１ａから直線状部材２１ｂ又は２１ｄに向かう方向に、つまり、フレーム部５１の受桁部５１ａの軸方向と略垂直である側方に、突出している。座板部５２ａａは、上面５１ａａよりも幅広になった座面を形成する。側方支持部５２ａｂは、座板部５２ａａと垂直に延在し、受桁部５１ａの側面に対向するように延在し且つこの側面と当接する。補強部５２ａｃは、座板部５２ａａにおける受桁部５１ａからの突出部分と側方支持部５２ａｂとの間に配置され、座板部５２ａａ及び側方支持部５２ａｂと垂直に延在する。補強部５２ａｃは、座板部５２ａａの突出部分の下向き荷重に対する強度を補強する。側方支持部５２ａｂは、座板部５２ａａから補強部５２ａｃに下方に作用する荷重を分散して受桁部５１ａに伝達する、つまり補強部５２ａｃから受桁部５１ａに荷重が集中的に作用することを抑える。座板部５２ａａ及び側方支持部５２ａｂは、受桁部５１ａに、例えば溶接等の接合方法で一体的に接合されている。
【００３９】
各固定受部５２ｂは、間隔をあけて対向して延在する２つの平板状の壁部５２ｂａ及び５２ｂｂを含む。固定受部５２ｂは、例えば、平板をＵ字状に曲げて形成される形状を有している。壁部５２ｂａ及び５２ｂｂは、Ｕ字の対向する側部を構成している。下側の壁部である下壁部５２ｂｂが、台座部５２ａの座板部５２ａａ上に配置され、上側の壁部である上壁部５２ｂａが、座板部５２ａａから間隔をあけて座板部５２ａａと対向するように延在する。本実施の形態では、上壁部５２ｂａは、直線状部材２１ａ及び２１ｃの上面２１ａａ及び２１ｃａよりも下方に位置する、つまり、床側横架材２１の上面よりも下方に位置する。下壁部５２ｂｂは、座板部５２ａａに、例えば溶接等の接合方法で一体的に接合されている。全ての固定受部５２ｂは、そのＵ字状断面を横向きとし、且つＵ字状断面の開放端を直線状部材２１ｂに向けて配置されている。つまり、上側の壁部である上壁部５２ｂａと下壁部５２ｂｂとは全て、直線状部材２１ｄ側で連結され、直線状部材２１ａ、２１ｂ及び２１ｃ側では連結されていない。ここで、上壁部５２ｂａは、固定壁部の一例である。
【００４０】
固定受部５２ｂのＵ字状断面の開放端側の上壁部５２ｂａの端部では、その中央付近に、Ｕ字状の平面形状を有する凹部５２ｂｃが、上記端部から切り込まれるように形成されている。凹部５２ｂｃは、上壁部５２ｂａの直線状部材２１ｂ側の端部から直線状部材２１ｄ側の端部に向かって窪むような形状を有している。凹部５２ｂｃは、上壁部５２ｂａの直線状部材２１ｂ側の端部で開放し、且つ上下方向に上壁部５２ｂａを貫通している。
【００４１】
各支持軸部５２ｃは、その外周面に雄ねじを有する円柱状の本体部５２ｃａと、本体部５２ｃａの下端部に一体的に形成された拡大部５２ｃｂとを含む。拡大部５２ｃｂは、本体部５２ｃａを径方向に拡大した形状を有している。支持軸部５２ｃは、例えば、ボルトで構成され、拡大部５２ｃｂは、ボルトの頭部を構成する。本体部５２ｃａにおける拡大部５２ｃｂと反対側の上端部は、ユニットバス３４の床板３４ａと接続される。
【００４２】
床板３４ａの下面には、雌ねじ孔を有する複数の接続部３４ａａが配置されている。各接続部３４ａａは、例えば、長ナットで構成される。各接続部３４ａａは、雌ねじ孔の軸方向を上下方向にして床板３４ａに固定されている。複数の接続部３４ａａは、複数の第一支持部５２及び第二支持部５３それぞれと対応する位置に配置されている。
【００４３】
支持軸部５２ｃは、本体部５２ｃａの上端部の雄ねじを、床板３４ａの接続部３４ａａの雌ねじ孔に螺合させることによって、接続部３４ａａと接続されている。さらに、接続部３４ａａと接続された支持軸部５２ｃの本体部５２ｃａは、固定受部５２ｂの凹部５２ｂｃ内に位置して固定受部５２ｂの上壁部５２ｂａと交差して延在し、支持軸部５２ｃの拡大部５２ｃｂは、固定受部５２ｂの下壁部５２ｂｂ上に位置する。つまり、支持軸部５２ｃは、下壁部５２ｂｂ及び座板部５２ａａから略垂直に直立する。これにより、床板３４ａは、接続部３４ａａ、支持軸部５２ｃ及び固定受部５２ｂを介して、受桁部５１ａつまりフレーム部５１によって支持される。さらに、支持軸部５２ｃを接続部３４ａａに対してねじ回転することによって、支持軸部５２ｃの拡大部５２ｃｂと接続部３４ａａとの距離が変化し、それにより、受桁部５１ａに対する床板３４ａの高さが変化する。拡大部５２ｃｂは、床板３４ａから本体部５２ｃａが受ける荷重を分散して固定受部５２ｂに伝達する。拡大部５２ｃｂは、支持軸部５２ｃのねじ回転の際に把持され、支持軸部５２ｃのねじ回転を容易にする。
【００４４】
また、支持軸部５２ｃの本体部５２ｃａには、固定受部５２ｂの上壁部５２ｂａを上下から挟むように配置される２つの固定部材５２ｄと、接続部３４ａａの直下に配置される１つの固定部材５２ｅとが、螺合している。なお、図５では、接続部３４ａａの図示が省略されている。ここで、固定部材５２ｄは、第一固定部材の一例であり、固定部材５２ｅは、第二固定部材の一例である。
【００４５】
固定部材５２ｄ及び５２ｅは、例えば、ナットで構成される。接続部３４ａａの直下の固定部材５２ｅは、接続部３４ａａに向かって締め付けられることによって、床板３４ａに対して高さ方向の位置決めがされた支持軸部５２ｃの本体部５２ｃａを、ねじ回転しないように接続部３４ａａに固定する。上壁部５２ｂａの上下の２つの固定部材５２ｄは、上壁部５２ｂａに向かって締め付けられることによって、支持軸部５２ｃの本体部５２ｃａを上壁部５２ｂａに固定する。これにより、床板３４ａ及びその接続部３４ａａは、鉛直方向及び水平方向で、フレーム部５１に固定されると共に支持される。よって、４つの第一支持部５２は、床板３４ａの４つの角部で、床板３４ａを支持すると共にフレーム部５１に固定する。従って、床板３４ａは、第一支持部５２及びフレーム部５１を介して、床側横架材２１によって支持される。
【００４６】
図４を参照すると、本実施の形態では、各フレーム部５１に１つ以上の第二支持部５３が配置されている。各第二支持部５３は、フレーム部５１の受桁部５１ａ上に配置される台座部５３ａと、台座部５３ａ上に配置され且つ台座部５３ａから床板３４ａに延びる支持軸部５３ｂとを含む。第二支持部５３の台座部５３ａは、第一支持部５２の台座部５２ａと同様の構成を有し、フレーム部５１の受桁部５１ａに接合され固定されている。第二支持部５３の支持軸部５３ｂは、第一支持部５２の支持軸部５２ｃと同様の構成を有している。支持軸部５３ｂは、その拡大部を台座部５３ａ上に載せて上方に向かって延在し、その本体部を床板３４ａの接続部３４ａａに螺合させている。
【００４７】
支持軸部５３ｂの本体部には、接続部３４ａａの直下に配置され且つ固定部材５２ｅと同様の構成をした１つの固定部材が、螺合している。固定部材は、接続部３４ａａに向かって締め付けられることによって、床板３４ａに対して高さ方向の位置決めがされた支持軸部５３ｂを、ねじ回転しないように接続部３４ａａに固定する。これにより、床板３４ａ及びその接続部３４ａａは、第二支持部５３を介して鉛直方向でフレーム部５１に支持される。よって、複数の第二支持部５３は、床板３４ａの４つの角部の内側で、フレーム部５１上で床板３４ａを支持する。従って、床板３４ａは、第二支持部５３及びフレーム部５１を介して、床側横架材２１によって支持される。なお、各第二支持部５３は、フレーム部５１に、鉛直方向にも水平方向にも固定されていない。
【００４８】
上述のような床板３４ａを有するユニットバス３４は、床側横架材２１に、以下に説明するように設置される。図４及び図６を参照すると、ユニットバス３４の床板３４ａは、各接続部３４ａａに支持軸部５２ｃ又は５３ｂを螺合させて垂下させた状態で、フレーム部５１上に配置される。この際、各第一支持部５２の支持軸部５２ｃは、床側横架材２１の直線状部材２１ｂから直線状部材２１ｄに向かう方向に、第一支持部５２の固定受部５２ｂの凹部５２ｂｃ内に嵌め込まれ、且つ固定受部５２ｂの下壁部５２ｂｂ上に載せられる。各第二支持部５３の支持軸部５３ｂは、第二支持部５３の台座部５３ａの上方に位置する。支持軸部５３ｂは、台座部５３ａと接触していても接触していなくてもよい。その後、床板３４ａを所定の高さ位置で水平に位置決めするように、支持軸部５２ｃ及び５３ｂが、ねじ回転されて伸縮され、床板３４ａの接続部３４ａａからの突出長の調整を受ける。
【００４９】
床板３４ａの位置決め完了後、支持軸部５２ｃの本体部５２ｃａに予め取り付けられていた複数の固定部材５２ｄ及び５２ｅが、ねじ回転され、接続部３４ａａ、及び固定受部５２ｂの上壁部５２ｂａに向かって締め付けられる。これにより、支持軸部５２ｃは、固定受部５２ｂの下壁部５２ｂｂ上に載った状態で、接続部３４ａａ及び上壁部５２ｂａに固定される。また、支持軸部５３ｂの本体部に予め取り付けられていた固定部材が、ねじ回転され、接続部３４ａａに向かって締め付けられる。これにより、支持軸部５３ｂは、台座部５３ａに載った状態で、接続部３４ａａに固定される。また、設置及び位置調整完了後の床板３４ａと床側横架材２１の直線状部材２１ｂとの間には、間隙がある。
【００５０】
その後、壁、天井、浴槽等のユニットバス３４の構成要素が、床板３４ａ上に組み立てられる。よって、ユニットバス３４は、複数の支持軸部５２ｃ及び５３ｂ、並びに複数のフレーム部５１等を介して、床側横架材２１によって支持され且つ床側横架材２１に固定される。
【００５１】
建物が完成し使用されるようになってから時間が経つと、リフォーム、故障修理等のために、ユニットバス３４を入れ替えるケースが発生し得る。この際、各支持軸部５２ｃ及び５３ｂの固定部材の締結を緩めることによって、第一支持部５２の固定受部５２ｂ及びユニットバス３４の床板３４ａの接続部３４ａａへの各支持軸部５２ｃの固定が解除される。これにより、各支持軸部５２ｃ及び５３ｂが、床板３４ａの接続部３４ａａに対して伸縮可能になり、接続部３４ａａから取り外されることも可能になる。床板３４ａは、床側横架材２１の直線状部材２１ｄから直線状部材２１ｂに向かう方向にスライドさせつつ引き上げられることによって、支持軸部５２ｃを固定受部５２ｂの凹部５２ｂｃから逸脱させ、それにより、フレーム部５１、第一支持部５２及び第二支持部５３から除去される。よって、ユニットバス３４の床板３４ａは、フレーム部５１、第一支持部５２及び第二支持部５３から、つまり、床側横架材２１から取り外すことが可能である。特に、床板３４ａと床側横架材２１の直線状部材２１ｂとの間に間隙があるため、床板３４ａのスライドが可能である。床板３４ａのスライド方向は、建物の外壁と反対方向、つまり建物の室内に向かうように、固定受部５２ｂ及びその凹部５２ｂｃが指向されてもよい。これにより、床板３４ａのスライドが建物の外壁により受ける干渉が抑えられる。
【００５２】
従来の技術では、ユニットバス３４の床板３４ａは、床側横架材２１に取り付けられる支持用のフレームに一体化されていたため、床側横架材２１へのユニットバス３４の設置には複雑な作業が伴っていた。さらに、一旦設置したユニットバス３４を床側横架材２１から除去する場合、支持用のフレームを除去する必要がある。しかしながら、木材からなる床側横架材２１は、周囲環境及び経年変化により収縮等の体積変化及び撓み等の形状変化を生じ得る。このため、支持用のフレームの除去は困難であり、除去後のフレームの再設置も困難である。
【００５３】
一方、バス架台５０では、支持軸部５２ｃ及び５３ｂの固定部材の締結及び締結解除により、床側横架材２１への床板３４ａの固定及び固定解除が可能である。さらに、床側横架材２１から床板３４ａを除去する際、フレーム部５１が床側横架材２１に残される。よって、バス架台５０は、ユニットバス３４の床側横架材２１への設置、除去及び再設置作業を容易にする。
なお、ユニットバス３４が、第一建物ユニット１０の土台１１に設置される場合、上述と同様にして、バス架台５０が土台１１に取り付けられる。
【００５４】
［効果など］
以上のように、実施の形態に係る建物ユニット１は、建設場所以外で予め組み立てられ、建設場所で建物の一部として設置される建物ユニットである。この建物ユニット１は、建物ユニット１を構成する床側横架材２１の複数の直線状部材２１ａ〜２１ｄと、浴槽支持体としてのユニットバス３４の床板３４ａと、複数の直線状部材２１ａ及び２１ｃに架け渡され且つ下方から床板３４ａを支持するバス架台５０とを備える。バス架台５０は、直線状部材２１ａ及び２１ｃの上面２１ａａ及び２１ｃａに係合し且つ上面２１ａａ及び２１ｃａよりも下方で側方に延びるフレーム部５１と、フレーム部５１に床板３４ａを着脱可能に固定する第一支持部５２とを有する。
【００５５】
上述の構成において、第一支持部５２は、直線状部材２１ａ及び２１ｃに係合するフレーム部５１と、床板３４ａとを着脱可能に固定する。これにより、ユニットバス３４及びその床板３４ａは、直線状部材２１ａ及び２１ｃが構成する床側横架材２１に着脱可能である。よって、実施の形態に係る建物ユニット１は、設備の交換を可能にする。更に、第一支持部５２は、床側横架材２１の上面２１ａａ及び２１ｃａよりも下がった位置に設けることができる。このため、床側横架材２１の厚み分を加えた上下高さを活用することができ、大きさが異なるユニットバス設備への交換の対応や、ユニットバス３４の床板３４ａ下のパイプスペースの確保等が容易になる。
【００５６】
実施の形態に係る建物ユニット１では、フレーム部５１は、床側横架材２１の直線状部材２１ａ及び２１ｃの上に載せられる引掛部５１ｂｂと、引掛部５１ｂｂの端部から垂下する垂下部５１ｂａと、垂下部５１ｂａの下端から側方に突出する受桁部５１ａとを含む。さらに、第一支持部５２は、受桁部５１ａに床板３４ａを着脱可能に固定する。上述の構成によって、受桁部５１ａは、床側横架材２１の上面２１ａａ及び２１ｃａよりも下がった位置に設けられることができ、これにより、第一支持部５２も上面２１ａａ及び２１ｃａよりも下がった位置に設けられ得る。従って、床側横架材２１の厚み分を加えた上下高さの効果的な活用が可能になる。
【００５７】
実施の形態に係る建物ユニット１では、第一支持部５２は、床板３４ａに対して伸縮可能であり且つ床板３４ａを支持する支持軸部５２ｃ有する。上述の構成において、支持軸部５２ｃは、伸縮することによって、床板３４ａの高さ位置を変更することができる。よって、所定の高さ位置への床板３４ａの設置が可能になる。
【００５８】
実施の形態に係る建物ユニット１では、複数の第一支持部５２が配置され、複数の第一支持部５２は、床板３４ａの周縁に分散して配置される。上述の構成において、床板３４ａの周縁に分散して配置される複数の第一支持部５２の支持軸部５２ｃは、床板３４ａの周縁の高さ位置を変更することができる。よって、床板３４ａを水平にするための支持軸部５２ｃの調節が、容易になる。
【００５９】
実施の形態に係る建物ユニット１では、フレーム部５１は、複数の直線状部材２１ａ及び２１ｃに架け渡され且つ下方から第一支持部５２の支持軸部５２ｃを支持する。上述の構成において、フレーム部５１を直線状部材２１ａ及び２１ｃに架け渡すことによって形成される支持軸部５２ｃの支持部は、その形成を容易にし、且つ支持軸部５２ｃを安定して支持することができる。
【００６０】
実施の形態に係る建物ユニット１では、第一支持部５２は、フレーム部５１から上方に離れた位置に、フレーム部５１に固定され且つ第一支持部５２の支持軸部５２ｃと交差する方向に延在する上壁部５２ｂａを有する。上壁部５２ｂａは、支持軸部５２ｃが側方から嵌り込む凹部５２ｂｃを有する。第一支持部５２は、凹部５２ｂｃ内の支持軸部５２ｃと上壁部５２ｂａとに係合し、支持軸部５２ｃを上壁部５２ｂａに固定する固定部材５２ｄを有する。上述の構成において、支持軸部５２ｃは、上壁部５２ｂａを介してフレーム部５１に固定され、さらに、フレーム部５１を介して床側横架材２１に固定される。よって、支持軸部５２ｃは、床板３４ａを安定して支持することができる。さらに、上壁部５２ｂａへの支持軸部５２ｃの固定は、固定部材５２ｄの支持軸部５２ｃ及び上壁部５２ｂａへの係合によって達成されるため、簡易である。
【００６１】
実施の形態に係る建物ユニット１では、第一支持部５２の支持軸部５２ｃは、床板３４ａに形成された雌ねじ孔及び固定部材５２ｄに形成された雌ねじ孔に螺合する雄ねじを有する。支持軸部５２ｃに螺合する２つの固定部材５２ｄが、第一支持部５２の上壁部５２ｂａを挟んで互いに締め付けられることによって、支持軸部５２ｃを上壁部５２ｂａに固定する。支持軸部５２ｃは、ねじ回転されることによって、床板３４ａに対して伸縮する。上述の構成において、支持軸部５２ｃ及び上壁部５２ｂａの固定及び固定解除が、２つの固定部材５２ｄを締結すること及び締結を緩めることによって達成されるため、簡易である。
【００６２】
実施の形態に係る建物ユニット１では、第一支持部５２は、支持軸部５２ｃを上壁部５２ｂａに固定する第一固定部材としての固定部材５２ｄと、支持軸部５２ｃに螺合し且つ床板３４ａに向かって締め付けられることによって支持軸部５２ｃを床板３４ａに固定する第二固定部材としての固定部材５２ｅとを有する。上述の構成において、支持軸部５２ｃと上壁部５２ｂａとの固定に加えて、支持軸部５２ｃと床板３４ａとの固定がなされる。よって、フレーム部５１への床板３４ａの固定が、より確実になる。さらに、フレーム部５１への床板３４ａの固定及び固定解除が、固定部材５２ｅを締結すること及び締結を緩めることによって達成されるため、簡易である。
【００６３】
実施の形態に係る建物ユニット１では、第一支持部５２の上壁部５２ｂａは、フレーム部５１上で横向きのＵ字状断面を形成するＵ字状部材である固定受部５２ｂの上側壁部であり、固定受部５２ｂのＵ字状断面及び凹部５２ｂｃは、建物の室内に向かって開放している。上述の構成において、建物ユニット１が建物の一部として使用されるようになった後で、ユニットバス３４及び床板３４ａの除去が必要になった場合に、床板３４ａの除去のために床板３４ａを水平方向にスライドさせる必要がある場合でも、建物の外壁等の干渉を受けないため、床板３４ａの移動スペースの確保が容易になる。
【００６４】
実施の形態に係る建物ユニット１では、第一支持部５２の上壁部５２ｂａは、フレーム部５１上で横向きのＵ字状断面を形成するＵ字状部材である固定受部５２ｂの上側壁部であり、固定受部５２ｂのＵ字状断面及び凹部５２ｂｃは、建物ユニット１の内側に向かって開放している。上述の構成において、建物ユニット１が建物の一部として使用されるようになった後で、ユニットバス３４及び床板３４ａの除去が必要になった場合に、床板３４ａの除去のために床板３４ａを水平方向にスライドさせる必要がある場合でも、建物ユニット１の壁等の干渉を受けないため、床板３４ａの移動スペースの確保が容易になる。
【００６５】
［その他］
以上、本発明について、上記実施の形態に基づいて説明したが、本発明は、上記実施の形態に限定されるものではない。
実施の形態では、２つの建物ユニット１が備えられる例について示したが、建物ユニット１は１つのみ又は３つ以上であってもよい。
実施の形態では、２つの建物ユニット１が建物の１階と２階とをそれぞれ構成する例について示したが、これに限定されない。建物ユニット１は、３階以上の上層階を構成してもよく、地下１階等の地階を構成してもよい。
【００６６】
実施の形態では、１つ以上の建物ユニット１が木造軸組工法によって形成される例について示したが、これに限定されない。例えば、２×４工法などの木造枠組壁工法、又は、鉄骨造等の他の工法が、建物ユニット１に用いられてもよい。よって、建物ユニット１の柱材は、木材に限らず、鉄骨材でもよい。また、建物ユニット１の柱材は、建物ユニット１の枠の一部でもよい。
【００６７】
実施の形態では、バス架台５０は、矩形枠状の床側横架材２１又は土台１１に架け渡すように配置されていたが、これに限定するものでない。バス架台５０は、建物ユニット１における大引き２７等のいかなる横架材に配置されてもよい。
実施の形態では、バス架台５０が架け渡される２つの部材は、互いに略平行に延在する２つの直線状部材２１ａ及び２１ｃであったが、これに限定されるものでない。バス架台５０が架け渡される２つの部材は、互いに間隔をあけて配置されていれば、いかなる配置形状を形成してもよい。さらに、バス架台５０が架け渡される２つの部材は、直線状部材でなくてもよく、曲がり、曲線等を伴って延在してもよい。
【００６８】
実施の形態では、ユニットバス３４の床板３４ａをバス架台５０から取り除く場合に床板３４ａが直線状部材２１ｄから直線状部材２１ｂに向かってスライドされるように、固定受部５２ｂ及び凹部５２ｂｃが指向されていたが、これに限定されるものでない。固定受部５２ｂ及び凹部５２ｂｃは、直線状部材２１ａ〜２１ｄのうちのいかなる２つの直線状部材間でこれらをわたる方向に床板３４ａがスライドされるように、指向されてもよい。つまり、床板３４ａのスライド方向は、対向する２つの直線状部材間をわたるいずれの向きであってもよく、交差する２つの直線状部材間をわたる向きつまり直線状部材に斜めに交差する向きであってもよい。
【００６９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７０】
１  建物ユニット
２１  床側横架材
２１ａ，２１ｂ，２１ｃ，２１ｄ  直線状部材（横架材）
２１ａａ，２１ｃａ  上面（横架材の上面）
３４ａ  床板（浴槽支持体）
５０  バス架台
５１  フレーム部
５１ａ  受桁部
５１ｂａ  垂下部
５１ｂｂ  引掛部
５２  第一支持部（固定部）
５２ｂ  固定受部
５２ｂａ  上壁部（固定壁部）
５２ｂｃ  凹部
５２ｃ  支持軸部
５２ｄ  固定部材（第一固定部材）
５２ｅ  固定部材（第二固定部材）
【図１】
2018031188.tif 000003
【図２】
2018031188.tif 000004
【図３】
2018031188.tif 000005
【図４】
2018031188.tif 000006
【図５】
2018031188.tif 000007
【図６】
2018031188.tif 000008